(57)【要約】【課題】羽根駆動部の羽根駆動源に外部端子電気的に接続するレンズ駆動装置を提供する。【解決手段】レンズを保持し、光軸を中心とする開口部の少なくとも一部を遮蔽するよう移動自在な羽根部材を駆動する羽根駆動部と、羽根駆動部を光軸方向へ移動自在に保持するベース部材と、羽根駆動部に設けられ、羽根部材を駆動する羽根駆動源と、羽根駆動部に設けられ、羽根駆動源と電気的に接続される第１導線と、ベース部材に設けられ、外部端子と電気的に接続される第２導線と、羽根駆動部において、ベース部材と対向するよう第１導線の導体が露出した第１対向面と、ベース部材において、羽根駆動部と対向するよう第２導線の導体が露出した第２対向面と、第１対向面と第２対向面との間に設けられ、ベース部材に対する羽根駆動部の移動を案内するとともに、第１導線の導体および第２導線の導体のそれぞれと接触する転動体とを、備える、レンズ駆動装置を採用する。【選択図】図１
2019049670.tif 000002
【特許請求の範囲】
【請求項１】
レンズを保持し、光軸を中心とする開口部の少なくとも一部を遮蔽するよう移動自在な羽根部材を駆動する羽根駆動部と、
前記羽根駆動部を光軸方向へ移動自在に保持するベース部材と、
前記羽根駆動部に設けられ、前記羽根部材を駆動する羽根駆動源と、
前記羽根駆動部に設けられ、前記羽根駆動源と電気的に接続される第１導線と、
前記ベース部材に設けられ、外部端子と電気的に接続される第２導線と、
前記羽根駆動部において、前記ベース部材と対向するよう前記第１導線の導体が露出した第１対向面と、
前記ベース部材において、前記羽根駆動部と対向するよう前記第２導線の導体が露出した第２対向面と、
前記第１対向面と前記第２対向面との間に設けられ、前記ベース部材に対する前記羽根駆動部の移動を案内するとともに、前記第１導線の導体および前記第２導線の導体のそれぞれと接触する転動体とを、備える、
レンズ駆動装置。
【請求項２】
前記羽根駆動部は、
前記レンズを保持するレンズバレルが取り付けられる本体部と、
前記本体部に連結され、前記本体部に対する前記レンズバレルの取り付けを補助する取付補助部材と、を含む、
請求項１に記載のレンズ駆動装置。
【請求項３】
前記第１導線は、
前記本体部に設けられる第３導線と、
前記取付補助部材に設けられる第４導線と、を含み、
前記本体部に前記取付補助部材が連結されたとき、前記第３導線と前記第４導線とが電気的に接続される、
請求項２に記載のレンズ駆動装置。
【請求項４】
前記第１対向面には、２以上の前記第１導線の導体が露出し、
前記第２対向面には、２以上の前記第２導線の導体が露出し、
前記第１対向面と前記第２対向面との間には、２以上の転動体が設けられ、
２以上の前記転動体同士の接触を防止する接触防止部材をさらに備える、
請求項１から請求項３のいずれか１項に記載のレンズ駆動装置。
【請求項５】
前記接触防止部材は、２以上の前記転動体の間に配置された、前記羽根駆動部または前記ベース部材の少なくとも一方に設けられた仕切部材である、
請求項４に記載のレンズ駆動装置。
【請求項６】
レンズを保持するレンズ保持部と、
前記レンズバレルを光軸方向へ移動自在に保持するベース部材と、
前記レンズバレルに設けられる駆動源と、
前記レンズバレルに設けられ、前記駆動源と電気的に接続される第１導線と、
前記ベース部材に設けられ、外部端子と電気的に接続される第２導線と、
前記レンズ駆動部において、前記ベース部材と対向するよう前記第１導線の導体が露出した第１対向面と、
前記ベース部材において、前記レンズバレルと対向するよう前記第２導線の導体が露出した第２対向面と、
前記第１対向面と前記第２対向面との間に設けられ、前記ベース部材に対する前記レンズバレルの移動を案内するとともに、前記第１導線の導体および前記第２導線の導体のそれぞれと接触する転動体とを、備える、
レンズ駆動装置。
【請求項７】
請求項１から請求項６のいずれか１項に記載のレンズ駆動装置を備える、撮像装置。
【請求項８】
請求項１から請求項６のいずれか１項に記載のレンズ駆動装置を備える、携帯電子機器。
【発明の詳細な説明】
【技術分野】
【０００１】
本発明は、レンズを駆動するためのレンズ駆動装置などに関する。
【背景技術】
【０００２】
本発明の背景技術の一例が特許文献１に開示されている。この特許文献１のカメラモジュールでは、レンズバレルに設けられたマグネットの磁力と、ハウジングに設けられたコイルとの電磁気力とによってレンズバレルを上下駆動する構成となっている。
【先行技術文献】
【特許文献】
【０００３】
【特許文献１】特開２０１３−０６１６６６号公報
【発明の概要】
【発明が解決しようとする課題】
【０００４】
しかしながら、特許文献１に記載のカメラモジュールに含まれるレンズ駆動装置を含むレンズ駆動装置では、たとえばレンズバレルの駆動性能を向上させるためにマグネットよりも軽いコイルをレンズバレルに設ける場合、コイルへの給電方法が問題となる。具体的には、コイルに給電するためには可撓性を有するフレキシブルプリント配線板（以下、ＦＰＣと言う。）をレンズバレルに接続するなどの方法を採るが、ＦＰＣは変形しやすいという特性のためにばね力を有している。そのため、このＦＰＣのばね力が、レンズバレルの上下駆動、つまりオートフォーカス機能に影響を与えてしまう場合があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
レンズを保持し、光軸を中心とする開口部の少なくとも一部を遮蔽するよう移動自在な羽根部材（４４ａ，４４ｂ）を駆動する羽根駆動部（１２）と、
前記羽根駆動部を光軸方向へ移動自在に保持するベース部材（１４）と、
前記羽根駆動部に設けられ、前記羽根部材を駆動する羽根駆動源（３６，３８）と、
前記羽根駆動部に設けられ、前記羽根駆動源と電気的に接続される第１導線（３２，６０）と、
前記ベース部材に設けられ、外部端子と電気的に接続される第２導線（６２）と、
前記羽根駆動部において、前記ベース部材と対向するよう前記第１導線の導体が露出した第１対向面（７０）と、
前記ベース部材において、前記羽根駆動部と対向するよう前記第２導線の導体が露出した第２対向面（７２）と、
前記第１対向面と前記第２対向面との間に設けられ、前記ベース部材に対する前記羽根駆動部の移動を案内するとともに、前記第１導線の導体および前記第２導線の導体のそれぞれと接触する転動体（２８）とを、備える、
レンズ駆動装置である。
【０００７】
上記構成のレンズ駆動装置では、光軸方向に移動する羽根駆動部に対して、たとえばＦＰＣなどの配線を接続する必要がなくなるため、配線の制限を受けることなく羽根駆動部を光軸方向に移動させることができる。
【０００８】
また、配線を用いることなく羽根駆動部に設けられた羽根駆動源に電力を供給することができるため、レンズ駆動装置の部品点数を減らすことができる。これにより、部品コストおよび組み立てコストを抑えることができるとともに、レンズ駆動装置を小型化することができる。
【０００９】
上記レンズ駆動装置において、好ましくは、
前記羽根駆動部は、
前記レンズを保持するレンズバレル（１８）が取り付けられる本体部（１６）と、
前記本体部に連結され、前記本体部に対する前記レンズバレルの取り付けを補助する取付補助部材（２０）と、を含む。
【００１０】
上記レンズ駆動装置によれば、取付補助部材を用いることで、本体部に対するレンズバレルの取り付けをより確実なものにすることができる。
【００１１】
上記レンズ駆動装置において、好ましくは、
前記第１導線は、
前記本体部に設けられる第３導線（３２）と、
前記取付補助部材に設けられる第４導線（６０）と、を含み、
前記本体部に前記取付補助部材が連結されたとき、前記第３導線と前記第４導線とが電気的に接続される。
【００１２】
上記レンズ駆動装置によれば、取付補助部材にも導線の一部を設けることができる。
【００１３】
上記レンズ駆動装置において、好ましくは、
前記第１対向面には、２以上の前記第１導線の導体が露出し、
前記第２対向面には、２以上の前記第２導線の導体が露出し、
前記第１対向面と前記第２対向面との間には、２以上の転動体が設けられ、
２以上の前記転動体同士の接触を防止する接触防止部材（６４）をさらに備える。
【００１４】
上記レンズ駆動装置によれば、第１対向面と第２対向面との間に２以上の転動体を配置し、それぞれを、互いに絶縁された異なる導線として利用することができる。
【００１５】
上記レンズ駆動装置において、好ましくは、
前記接触防止部材は、２以上の前記転動体の間に配置された、前記羽根駆動部または前記ベース部材の少なくとも一方に設けられた仕切部材（６４）である。
【００１６】
上記レンズ駆動装置によれば、仕切部材を用いて、２以上の転動体同士が接触して、動作不具合を発生することなどを防止することができる。
【００１７】
本発明の他の手段は、
レンズを保持するレンズバレル（１８）と、
前記レンズバレルを光軸方向へ移動自在に保持するベース部材（１４）と、
前記レンズバレルに設けられる駆動源（３６，３８）と、
前記レンズバレルに設けられ、前記駆動源と電気的に接続される第１導線（３２，６０）と、
前記ベース部材に設けられ、外部端子と電気的に接続される第２導線（６２）と、
前記レンズ駆動部において、前記ベース部材と対向するよう前記第１導線の導体が露出した第１対向面（７０）と、
前記ベース部材において、前記レンズバレルと対向するよう前記第２導線の導体が露出した第２対向面（７２）と、
前記第１対向面と前記第２対向面との間に設けられ、前記ベース部材に対する前記レンズバレルの移動を案内するとともに、前記第１導線の導体および前記第２導線の導体のそれぞれと接触する転動体（２８）とを、備える、
レンズ駆動装置である。
【００１８】
上記構成のレンズ駆動装置では、光軸方向に移動するレンズバレルに対して、たとえばＦＰＣなどの配線を接続する必要がなくなるため、配線の制限を受けることなく羽根駆動部を光軸方向に移動させることができる。
【００１９】
また、本発明は、上記レンズ駆動装置を備えるカメラなどの撮像装置を含む。
【００２０】
上記レンズ駆動装置によれば、配線による移動の制限を受けないレンズ駆動装置を用いた撮像装置を作成することができる。
【００２１】
また、本発明は、上記レンズ駆動装置を備えるスマートフォンなどの携帯電子機器を含む。
【００２２】
上記携帯電子機器によれば、配線による移動の制限を受けないレンズ駆動装置を用いた携帯電子機器を作成することができる。
【図面の簡単な説明】
【００２３】
【図１】図１は、この発明の一実施例のレンズ駆動装置の分解斜視図である。
【図２】図２は、図１に示す羽根駆動装部によって駆動される羽根部材の状態を示す説明図である。
【図３】図３は、図１に示す羽根駆動装部によって駆動される羽根部材の他の状態を示す説明図である。
【図４】図４は、図１に示す羽根駆動装部に設けられる第１導線の一例を示す平面図である。
【図５】図５は、図１に示すベース部材に設けられる第２導線の一例を示す平面図である。
【図６】図６は、図１に示すレンズ駆動装置の平面図である。
【図７】図７は、図６に示すレンズ駆動装置のＡ−Ａ断面図である。
【図８】図８は、図６に示すレンズ駆動装置の他の実施形態のＡ−Ａ断面図である。
【図９】図９は、図１に示すレンズ駆動装置を備える撮像装置および携帯電子機器の一例を示す説明図である。
【発明を実施するための形態】
【００２４】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．補足事項
【００２５】
＜１．実施形態１＞
本実施形態のレンズ駆動装置１０では、レンズを保持し、光軸を中心とする開口部の少なくとも一部を遮蔽するよう移動自在な羽根部材４４を駆動する羽根駆動部１２が光軸方向に移動する構成とされている。この羽根駆動部１２を光軸方向へ移動自在に保持するベース部材１４と羽根駆動部１２とが対抗する面の間に、転動体（ベアリング）２８が設けられている。そして、その転動体２８が、羽根部材４４を駆動する羽根駆動源に給電する導線の一部として用いられていることを特徴の一つとしている。以下、本実施形態のレンズ駆動装置１０について、図面を参照しながら具体的に説明する。
【００２６】
図１は、本実施形態のレンズ駆動装置１０の分解斜視図である。
【００２７】
図１、図２などに示されるように、本実施形態のレンズ駆動装置１０は、羽根駆動部１２およびベース部材１４などを含んで構成されている。
【００２８】
羽根駆動部１２は、平面視で略矩形であり、レンズを保持する。羽根駆動部１２は、羽根部材４４を駆動するために、本体部１６、レンズバレル１８および取付補助部材２０を含んで構成されている。なお、羽根駆動部１２は、レンズバレル１８を保持することから、レンズ保持部と言われることもある。
【００２９】
本体部１６は、２枚の羽根部材４４を駆動するための構成である。本体部１６は、羽根ベース部材３０、リードフレーム３２、基板コイル３６、２つのマグネット３８、磁性体４０、レバー３４、羽根支持体４２、羽根部材４４、およびカバー部材４６を含んでいる。また、平面視において、本体部１６はレンズバレル１８を配置するための凹みを有しており、その凹みにおいて羽根支持体４２が突出するような形状となっている（図２参照）。
【００３０】
羽根ベース部材３０は、樹脂製の部材であり、平面視において、羽根ベース部材３０はレンズバレル１８を配置するための凹みを有している（図２参照）。このような羽根ベース部材３０には、レバー３４、及び基板コイル３６を配置するための凹部や、羽根支持体４２を固定するための配置ピンなどが設けられるとともに、羽根部材４４の移動を案内するガイドピンなどが設けられる。
【００３１】
リードフレーム３２は、インサート成型によって羽根ベース部材３０と一体に設けられている。なお、本実施形態では、２つのリードフレーム３２が羽根ベース部材３０に設けられているが、他の実施形態では、１つのリードフレーム３２が羽根ベース部材３０に設けられていてもよいし、３つ以上のリードフレームが羽根ベース部材３０に設けられていてもよい。つまり、リードフレーム３２は、１以上の数で任意に決定可能である。
【００３２】
レバー３４は、樹脂製の部材である。図１、図２、及び図３に示すように、レバー３４の長手方向の両端には、２枚の羽根部材４４ａ，及び４４ｂをそれぞれ駆動するための２つの駆動ピン３４ａ，３４ｂが設けられている。レバー３４の略中央には、嵌合孔が形成されており、羽根ベース部材３０の凹部に設けられるレバーピン３０ａに嵌合される。レバー３４は、レバーピン３０ａに嵌合孔が嵌合された状態で、嵌合孔を中心として回転する。また、レバー３４の長手方向の略中央に位置する嵌合孔と、長手方向の両端に位置する駆動ピン３４ａ，及び３４ｂとの間には、マグネット３８をそれぞれはめ込むための２つのマグネット凹部が設けられている。つまり、レバー３４における嵌合孔と、駆動ピン３４ａ及び３４ｂのそれぞれとの間に形成されたマグネット凹部には、それぞれマグネット３８が配置される。
【００３３】
基板コイル３６は、扁平矩形であり、基板の内部または表面にコイルパターンが形成されている。本実施形態では、基板コイル３６の基板の略中心には貫通孔が形成されており、その貫通孔の両側に２つのコイルパターンが形成されている。また、図４に示すように、基板コイル３６の基板上には、２つのリードフレーム３２をそれぞれはんだ付けするための２つのランド３６ａ，及び３６ｂが設けられている。すなわち、基板コイル３６に含まれる２つのコイルには、それぞれリードフレーム３２が電気的に接続されている。なお、以下の説明では、コイルパターンを単にコイルと言うことがある。
【００３４】
２つのマグネット３８のそれぞれは、たとえばＳ極及びＮ極の２極の磁石が２つ重ねられたものである。２つのマグネット３８は、レバー３４の嵌合孔の両側に設けられたマグネット凹部にそれぞれはめ込まれる。
【００３５】
２つの磁性体４０は、レバー３４を初期位置で保持するためのものである。レバー３４に設けられたマグネット３８と磁性体４０との間には、磁気吸引力が生じるため、マグネット３８は磁性体４０に吸引される。マグネット３８は、レバー３４に配置されているため、マグネット３８と磁性体４０との間の磁気吸引力によって、レバー３４が移動する。その結果、たとえばマグネット３８と磁性体４０とが平面的に重なった状態、つまりマグネット３８と磁性体４０とが最も近接した状態でレバー３４が停止する。このようにしてレバー３４が停止する位置が、レバー３４の初期位置となる。
【００３６】
これらの、レバー３４、基板コイル３６、および２つの磁性体４０は、羽根ベース部材３０の凹部に配置される。装置組立の際には、まず２つの磁性体４０が凹部に配置され、その２つの磁性体４０の上に、レバーピン３０ａが基板コイル３６の貫通孔に挿通された状態で基板コイル３６が配置される。さらに、基板コイル３６が凹部に配置された状態で、レバーピン３０ａにレバー３４の嵌合孔が嵌合される。
【００３７】
羽根支持体４２は、平面視において略矩形であり、２枚の薄板部材４２ａ，及び４２ｂを含む。２枚の薄板部材４２ａ，及び４２ｂは、間に２枚の羽根部材４４ａ，及び４４ｂを挟み込むことでこれらの羽根部材を支持している。羽根支持体４２は、たとえば金属製であり、エッジング加工などによって２枚の薄板部材４２ａ，及び４２ｂの縁の部分が光軸方向前方または後方に向かって盛り上がった形状となるように加工されている。これにより、２枚の薄板部材４２ａ，及び４２ｂを重ねると、縁の部分がそれぞれ接触して、縁よりも内側には羽根室が形成される。そして、羽根部材４４ａ，及び４４ｂは、このように形成された羽根室内を移動する。２枚の薄板部材４２ａ，及び４２ｂのそれぞれには光軸を中心とした開口部が設けられており、薄板部材４２ａ，及び４２ｂの２つの開口部によって露光開口が形成されている。
【００３８】
２枚の羽根部材４４ａ，及び４４ｂは、Ｕ字状に二股に延びる形状をしており、たとえば黒色のＰＥＴ製のフィルムで形成される。２枚の羽根部材４４ａ，及び４４ｂは、開口部（露光開口）の少なくとも一部を遮蔽する。本実施形態では、２枚の羽根部材４４ａ，及び４４ｂは、露光量を調整するための絞り開口を形成するための絞り羽根として機能する
【００３９】
カバー部材４６は、樹脂製の部材であり、平面視においては、本体部１６はレンズバレル１８を配置するための凹み（窪み）を有している。このようなカバー部材４６は、上述したレバー３４、基板コイル３６、磁性体４０、羽根支持体４２、及び羽根部材４４が羽根ベース部材３０に配置された状態を保持するために、羽根ベース部材３０に設けられる。
【００４０】
これらの羽根支持体４２と羽根部材４４は、レバー３４、基板コイル３６、および磁性体４０が配置された状態で、羽根ベース部材３０の配置ピンとガイドピンとを利用して、羽根ベース部材３０に配置される。図１から図３に示すように、まず羽根ベース部材３０の上において、配置ピンとガイドピンとが薄板部材４２ａの固定孔に嵌合するように配置される。また、このように配置されると、レバー３４の２つの駆動ピン３４ａ，及び３４ｂのそれぞれは、薄板部材４２ａの長孔に嵌合した状態となる。
【００４１】
次に、ガイドピンが羽根部材４４ａおよび羽根部材４４ｂのガイド孔に嵌合するように配置される。また、このとき、それぞれの羽根部材４４の駆動孔には、駆動ピン３４ａ，３４ｂが嵌合した状態となる。
【００４２】
次に、２枚の羽根部材４４ａ，及び４４ｂが配置された上に、もう１枚の薄板部材４２ｂが配置される。そして、このような羽根支持体４２と羽根部材４４との配置状態を保持するために、カバー部材４６がさらに取り付けられる。
【００４３】
このように配置された状態で、基板コイル３６のコイルに電力が供給されると、コイルが磁力を帯び、その磁力とマグネット３８の磁力との相互作用によって、レバー３４が駆動されて回転する。レバー３４が駆動されると、２つの駆動ピン３４ａ，及び３４ｂに嵌合している２枚の羽根部材４４が駆動される。たとえば、図２に示すように、２枚の羽根部材４４ａ，及び４４ｂが駆動されると、羽根部材４４ａ，及び４４ｂのそれぞれが露光開口から退避した状態、つまり全開状態となる。一方、図３に示すように、２枚の羽根部材４４ａ，及び４４ｂが逆方向に移動すると、それぞれが露光開口を覆った状態、つまり小絞り状態となる。そして、本実施形態では、全開状態から小絞り状態までの絞り量を無段階に調整することができる。そのため、本体部１６は絞り装置と言われることもある。
【００４４】
このように、基板コイル３６とマグネット３８とは、ボイス・コイル・モータ（以下、ＶＣＭと言う。）として機能する。そして、このＶＣＭによってレバー３４に駆動力が与えられる。そのため、基板コイル３６とマグネット３８とは、まとめて羽根駆動源と言われることもある。
【００４５】
また、基板コイル３６のコイルに電力が供給されていない状態では、マグネット３８が磁性体４０に吸引されるためレバー３４が初期位置となる。たとえば、レバー３４が初期位置となると、図２に示すように、開口部が全開状態となる。すなわち、無通電状態では、開口部が全開状態となるようにされている。
【００４６】
なお、小絞り状態からさらに羽根部材４４を駆動させて露光開口の全体を覆うような構成にしてもよい。この場合、羽根部材４４はシャッタ羽根と言われることもある。また、羽根部材４４は、ＩＲ（赤外線）カットフィルタなどを用いたフィルタ羽根であってもよい。また、羽根部材４４は１枚で構成されてもよい。この場合、露光開口の全体を覆うシャッタ羽根であってもよいし、絞り開口が設けられた絞り羽根であってもよい。
【００４７】
また、羽根駆動源には、ＶＣＭに代えて、マグネットロータをＵ字型のヨークで挟む形状のモータなどのアクチュエータが用いられてもよい。
【００４８】
また、小絞り状態は閉状態と言われることもあり、全開状態は開状態と言われることもある。
【００４９】
レンズバレル１８は、第１レンズ保持部、第２レンズ保持部、及び連結部を有している。第１レンズ保持部は第１レンズ群を保持し、第２レンズ保持部は第２レンズ群を保持する。第１レンズ保持部と第２レンズ保持部とは連結部により連結される。また、光軸方向において第１レンズ保持部と第２レンズ保持部との間にスリットが形成されている。
【００５０】
第１レンズ保持部および第２レンズ保持部は、それぞれ少なくとも１枚のレンズから構成されるレンズ群を保持する。スリットに対して、光軸と垂直方向から羽根支持体４２が挿入されると、羽根支持体４２は、２つのレンズ群の間に配置された状態となる。
【００５１】
取付補助部材２０は、樹脂製の部材であり、側面視において矩形である。取付補助部材２０は、本体部１６に対するレンズバレル１８の取り付けを補助する。すなわち、取付補助部材２０を用いることで、本体部１６に対するレンズバレル１８の取り付けをより確実なものにすることができる。
【００５２】
また、取付補助部材２０の一方側面から裏面および他方側面にかけて、後述する第１導線を構成する配線パターン６０が設けられている。この配線パターン６０は、たとえば印刷によって形成されている。また、図１および図４に示すように、取付補助部材２０の他方側面は、ベース部材１４と対向し、この面の略中央にマグネット２６をはめ込む凹部が設けられ、その凹部の両端に転動体２８をガイドするガイド溝が形成されている。特に、転動体２８をガイドするガイド溝が形成されている部分は、ベース部材１４と対向する第１対向面７０となっており、配線パターン６０はこの第１対向面７０で導体が露出している。なお、転動体２８は、金属製の部材のベアリングであり、表面にメッキ加工がされている。転動体２８は導電体であって、電気を通す特性を有している。
【００５３】
たとえば、図６に示すように、レンズバレル１８のスリットに羽根支持体４２が挿入されたのち、取付補助部材２０の一方側面の両端部分が本体部１６に連結され、中央部分などはレンズバレル１８と当接する。これにより、レンズバレル１８が羽根支持体４２から抜け落ちないようにされている。このように、取付補助部材２０はレンズバレル１８のストッパとして機能していることから、単にストッパと言われることもある。
【００５４】
ここで、羽根駆動部１２に設けられる第１導線について説明する。図４に示すように、第１導線は、本体部１６に設けられるリードフレーム３２と取付補助部材２０に設けられる配線パターン６０とを含んで構成される。まず、リードフレーム３２は、基板コイル３６に設けられる２つのコイルにそれぞれ接続する２つのリードフレーム３２ａ，及び３２ｂを含む。２つのリードフレーム３２ａ，及び３２ｂの一方端は、上述した通り、コイルにつながる２つのランド３６ａ，及び３６ｂと、それぞれはんだ付けによって電気的に接続されている。一方、２つのリードフレーム３２ａ，及び３２ｂの他方端は、本体部１６の側面に露出している。次に、配線パターン６０は、２つの配線パターン６０ａ，及び６０ｂを含む。２つ配線パターン６０ａ，及び６０ｂの一方端は、本体部１６と対向する一方側面で露出しているため、本体部１６に取付補助部材２０が連結されると、配線パターン６０ａはリードフレーム３２ａの他方端と接触し、配線パターン６０ｂはリードフレーム３２ｂの他方端と接触する。つまり、本体部１６に取付補助部材２０が連結されると、２つのリードフレーム３２と２つの配線パターン６０とがそれぞれ電気的に接続される。そして、２つの配線パターン６０のそれぞれは、２か所の第１対向面７０において導体が露出する。したがって、第１導線は、一方端が羽根駆動源と電気的に接続され、他方端が第１対向面７０において導体が露出した状態となる。
【００５５】
このように、取付補助部材２０にも第１導線の一部を設けることができる。なお、第１導線に含まれるリードフレーム３２は第３導線と言われることがあり、第１導線に含まれる配線パターン６０は第４導線と言われることがある。また、他の実施形態では、第１導線が分割されないように、第１導線の経路を配置してもよい。
【００５６】
ベース部材１４は、樹脂製の部材であって、平面視において矩形であり、側面視においてＬ字状である。ベース部材１４の略中央には、レンズを通過した光が通過する開口が設けられている。また、ベース部材１４の端部には、光軸方向に向かって突出する突出部１４ａが設けられている。突出部１４ａの一方側面は、図５、及び図６に示すように、羽根駆動部１２と対向する。そのため、転動体２８をガイドするガイド溝が、突出部１４ａの一方側面の両端に形成されている。突出部１４ａの他方側面には、図１に示すように、コイル２２および磁性体２４がはめ込まれる凹部が形成されている。そして、ベース部材の正面では、開口を挟んで両側に、第２導線６２ａ，及び６２ｂが設けられる。第２導線６２の一方端は、転動体２８をガイドするガイド溝の部分で導体が露出している。この部分は、羽根駆動部１２の第１対向面７０と対向する第２対向面７２となっている。つまり、第２導線６２の導体は、ベース部材１４の第２対向面７２で露出した状態となっている。
【００５７】
一方、第２導線６２の他方端は、外部端子と電気的に接続される。この外部端子は、たとえばベース部材１４の裏面に設けられており、外部に配置された電源や制御部と接続される。
【００５８】
ここで、羽根駆動部１２の光軸方向への移動について説明する。図６に示すように、取付補助部材２０にはめ込まれたマグネット２６とベース部材１４の突出部１４ａにはめ込まれたコイル２２とから、光軸方向に推力を生じさせるＶＣＭが構成される。このＶＣＭから与えられる駆動力で、羽根駆動部１２は光軸方向に移動する。コイル２２がマグネット２６と対向する面とは反対側には磁性体２４が配置されているため、マグネット２６は、この磁性体２４に吸引される。すなわち、羽根駆動部１２の側面が、突出部１４ａの一方側面側に吸引された状態となる。そして、羽根駆動部１２とベース部材１４との間、つまり第１対向面７０および第２対向面７２のガイド溝に、転動体２８が設けられている。コイル２２に通電され、ＶＣＭが駆動力を生じさせると、第１対向面７０および第２対向面７２のガイド溝のそれぞれが転動体２８と摺動することによって、羽根駆動部１２がベース部材１４に対して光軸方向に移動することができる。本実施形態のレンズ駆動装置は、このようにレンズを保持した羽根駆動部１２を光軸方向に移動させることで、オートフォーカス機能を実現することができる。
【００５９】
なお、本実施形態では、２か所のガイド溝に対して、一方には１つの転動体２８を配置し、他方には２つの転動体２８を配置することで、３点で羽根駆動部１２を支えるようにしている。ただし、他の実施形態では、２個または４個以上の転動体２８を配置して、羽根駆動部１２を支えるようにしてもよい。つまり、転動体２８の数は任意に決定可能である
【００６０】
次に、羽根駆動源への給電経路について説明する。羽根駆動源と電気的に接続される第１導線と、外部端子と電気的に接続される第２導線６２とは、転動体２８によって電気的に接続される。図７に示すように、第１対向面７０では、第１導線に含まれる配線パターン６０ａの導体が露出している。一方、第２対向面７２では、第２導線６２の導体が露出している。そして、この２つの対向面の間には、電気を通す特性を有する転動体２８が配置され、第１導線に含まれる配線パターン６０ａの導体と第２導線６２の導体とが転動体２８と接触している。これにより、外部の電源からの電力は、外部端子を通じて第２導線６２を流れ、転動体２８を介して第１導線に流れる。そして、第１導線から羽根駆動源、すなわち基板コイル３６のコイルに電力が供給される。
【００６１】
基板コイル３６の２つのコイルは直列に接続されているため、たとえば第２導線６２ａ、転動体２８、配線パターン６０ａ、及びリードフレーム３２ａによって形成される電源ラインに電圧が加えられると、第２導線６２ｂ、転動体２８、配線パターン６０ｂ、及びリードフレーム３２ｂはＧＮＤ（接地電位）のラインとなる。また、逆方向に通電されると、第２導線６２ａ、転動体２８、配線パターン６０ａ、及びリードフレーム３２ａがＧＮＤ（接地電位）のラインとなる。
【００６２】
なお、転動体２８が２つ配置されている対向面では、転動体２８同士が接触することになるが、単一の電源ラインとなるため短絡などが生じることはない。
【００６３】
以上の説明からわかるように、本実施形態のレンズ駆動装置１０では、光軸方向に移動する羽根駆動部１２に対して、たとえばＦＰＣなどの配線を接続する必要がなくなるため、配線の制限を受けることなく羽根駆動部１２を光軸方向に移動させることができる。
【００６４】
また、配線を用いることなく羽根駆動部１２に設けられた羽根駆動源に電力を供給することができるため、レンズ駆動装置の部品点数を減らすことができる。これにより、部品コストおよび組み立てコストを抑えることができるとともに、レンズ駆動装置１０を小型化することもできる。
【００６５】
＜２．実施形態２＞
次に、本発明の実施形態２について、図面を参照しながら説明する。実施形態２のレンズ駆動装置１０は、実施形態１のレンズ駆動装置１０と比較して、２以上の第１導線および第２導線６２の導体が第１対向面７０と第２対向面７２に露出する点などで相違し、それ以外の構成等は同様である。以下の説明では、他の実施形態が実施形態１と相違する点についての説明を行い、実施形態１と同様の構成等についてはその説明を省略する。
【００６６】
図８に示すように、第１対向面７０と第２対向面７２との間には、複数の転動体２８が配置される。また、第１対向面７０には、転動体２８同士の接触を防ぐための接触防止部材である仕切部材６４が形成される。すなわち、転動体２８が移動しても、仕切部材６４と接触し、他の転動体２８とは接触しないようになっている。
【００６７】
また、第１対向面７０には、３つの第１導線の導体８０が露出しており、それぞれが仕切部材６４によって区切られている。一方、第２対向面７２には、３つの第２導線６２の導体８２が露出しており、それぞれは電気的に絶縁されている。そして、第１導体８０ａと第２導体８２ａとは１つの転動体２８とそれぞれ接触し、かつ他の転動体２８および導体とは絶縁した状態が保たれている。これは、第１導体８０ｂおよび第２導体８２ｂ、並びに第３導体８０ｃおよび第３導体８２ｃでも同様である。
【００６８】
本実施形態のレンズ駆動装置１０では、このように、第１対向面７０と第２対向面７２との間に２以上の転動体を配置しても、仕切部材６４を用いて２以上の転動体２８同士の接触を防止することができ、それぞれを異なる導線として利用することができる。
【００６９】
また、本実施形態のレンズ駆動装置１０では、このように、用途の異なる導線の数を増やすことができるため、たとえば羽根駆動源を制御するＩＣをさらに追加して、そのＩＣの電源および制御ラインとして導線を使うことができる。
【００７０】
また、本実施形態のレンズ駆動装置１０では、取付補助部材２０に設けられるマグネット２６に代えてコイル２２を設けて、そのコイル２２への給電経路として導線を使うことができる。なお、本実施形態では、光軸方向に移動する羽根駆動部１２にマグネット２６を取り付ける、いわゆるムービングマグネット型のＶＣＭであったが、この羽根駆動部１２にコイル２２を取り付ける、いわゆるムービングコイル側のＶＣＭによって、羽根駆動部１２を光軸方向に移動させてもよい。この場合、マグネット２６よりもコイル２２の方が軽いため、ＶＣＭの駆動力を容易に向上させることができる。
【００７１】
＜３．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００７２】
たとえば、他の実施形態では、レンズ駆動装置１０は羽根駆動部１２を含んでいなくてもよく、ムービングコイル型のＶＣＭによってレンズバレル１８を光軸方向に移動させる構成にしてもよい。この場合、レンズバレル１８にコイル２２が直接取り付けられてもよいし、コイル２２を取り付ける部材がレンズバレル１８に取り付けられてもよい。そして、このような他の実施例では、レンズバレル１８およびコイル２２を取り付ける部材などがまとめてレンズ保持部と言われる。
【００７３】
なお、シャッタ羽根を駆動する羽根駆動部１２はシャッタ部と言われ、フィルタ羽根を駆動する羽根駆動部１２はフィルタ切り替え部と言われることもある。
【００７４】
上述したレンズ駆動装置１０は、たとえば図９に示すいわゆるスマートフォン、いわゆるフィーチャーフォン、またはタブレット機器などの携帯情報機器１００用の撮像装置９０に用いられてもよい。この場合、配線による移動の制限を受けないレンズ駆動装置１０を用いた、撮像装置９０および携帯情報機器１００を作成することができる。
【産業上の利用可能性】
【００７５】
本発明は、特にレンズを駆動するためのレンズ駆動装置として効果的に利用される。
【符号の説明】
【００７６】
１０    …  レンズ駆動装置
１２    …  羽根駆動部
１４    …  ベース部材
１４ａ    …  突出部
１６    …  本体部
１８    …  レンズバレル
２０    …  取付補助部材
２２    …  コイル
２４    …  磁性体
２６    …  マグネット
２８    …  転動体
３０    …  羽根ベース部
３２    …  リードフレーム
３４    …  レバー
３６    …  基板コイル
３６ａ，３６ｂ    …ランド
３８    …  マグネット
４０    …  磁性体
４２    …  羽根支持体
４４    …  羽根部材
４６    …  カバー部材
６０    …  配線パターン
６２    …  第２導線
７０    …  第１対向面
７２    …  第２対向面
８０ａ，８０ｂ，８０ｃ    …  導体
８２ａ，８２ｂ，８２ｃ    …  導体
９０    …  撮像装置
１００    …  携帯情報機器
【図１】
2019049670.tif 000003
【図２】
2019049670.tif 000004
【図３】
2019049670.tif 000005
【図４】
2019049670.tif 000006
【図５】
2019049670.tif 000007
【図６】
2019049670.tif 000008
【図７】
2019049670.tif 000009
【図８】
2019049670.tif 000010
【図９】
2019049670.tif 000011